(57)【要約】【課題】  包装ボックスが開函された状態で製品を包装する作業者に伝達されるようにし、製品包装作業をより簡易にし、結果として短時間で包装作業を完了できる包装ボックス製函機を提供する。【解決手段】  複数の包装ボックスが折り畳まれた状態で積載されて供給される包装ボックス供給装置と、前記包装ボックス供給装置に積載された包装ボックスのうち、最上側に積載された包装ボックスを開函する製函装置と、を備える構成とした。【選択図】  図１
2008254815.tif 000002
【特許請求の範囲】
【請求項１】
複数の包装ボックスが折り畳まれた状態で積載されて供給される包装ボックス供給装置と、
前記包装ボックス供給装置に積載された包装ボックスのうち、最上側に積載された包装ボックスを開函する製函装置と、
を備えることを特徴とする、包装ボックス製函機。
【請求項２】
前記製函装置は、
前記包装ボックス供給装置に積載された包装ボックスのうち、最上側に積載された包装ボックスの下面を支持するように左右方向に回転可能に設置される支持プレートと、
真空圧が伝達されて包装ボックスの一面を吸着する吸盤が一面に配置され、前記支持プレートに対して垂直及び水平に配置されるように回転自在に設置される吸着プレートと、を備えることを特徴とする、請求項１に記載の包装ボックス製函機。
【請求項３】
前記製函装置を移動させ、前記製函装置によって開函された包装ボックスを前記製函装置と一緒に前記包装ボックス供給装置から引き出す引出し装置を備えることを特徴とする、請求項１に記載の包装ボックス製函機。
【請求項４】
前記引出し装置は、その一端を中心に他端が上下に回転可能に設置され、他端に前記製函装置が回転可能に設置された引出しアームを備えることを特徴とする、請求項１に記載の包装ボックス製函機。
【請求項５】
前記引出し装置は、上下方向に長く立設され、上端に前記引出しアームが回転自在に設置される支持台をさらに備えることを特徴とする、請求項４に記載の包装ボックス製函機。
【請求項６】
前記引出し装置は、前記引出しアームに対しては直角方向に、地面に対しては水平に前記引出しアームから延在され、前記棚に積載された包装ボックスのうち、最上側に積載された包装ボックスの一端を支持する支持バーをさらに備えることを特徴とする、請求項４に記載の包装ボックス製函機。
【請求項７】
複数の包装ボックスが折り畳まれた状態で積載されて供給される包装ボックス供給装置と、
前記包装ボックス供給装置に積載された包装ボックスのうち、最上側に積載された包装ボックスを開函する製函装置と、
前記製函装置を移動させ、該製函装置によって開函された包装ボックスを前記製函装置と一緒に前記包装ボックス供給装置から引き出す引出し装置と、
を備えることを特徴とする、包装ボックス製函機。
【請求項８】
前記製函装置は、
左右方向に回転可能に設置され、前記包装ボックス供給装置に積載された包装ボックスのうち、最上側に積載された包装ボックスの下面を支持する支持プレートと、
真空圧が伝達されて包装ボックスの一面を吸着する吸盤が一面に配置され、前記支持プレートに対して垂直及び水平に配置されるように回転自在に設置される吸着プレートと、
を備えることを特徴とする、請求項７に記載の包装ボックス製函機。
【請求項９】
前記引出し装置は、一端を中心に他端が上下に回転自在に設置され、他端に前記製函装置が回転自在に設置された引出しアームを備えることを特徴とする、請求項７に記載の包装ボックス製函機。
【発明の詳細な説明】
【技術分野】
【０００１】
本発明は、製品包装時に用いられる包装ボックス製函機に係り、より詳細には、包装が容易にできるように包装ボックスを開函する包装ボックス製函機に関する。
【背景技術】
【０００２】
一般に、製造済みの各種製品は、損傷などを避けるために六面体状のボックスで包装している。
包装ボックスは、厚い段ボールなどの材質からなるもので、使用前には保管上の容易性から板状に折り畳み、最小限の占有面積として保管及び積載し、製品の包装時にはボックス状に開函される。
【発明の開示】
【発明が解決しようとする課題】
【０００３】
しかしながら、従来、製品の包装時には、折り畳まれた状態で積載されている板状の包装ボックスを作業者が手作業でいちいち開函して箱状にした後、これらを製品にそれぞれ被せなければならず、製品の包装に労力及び時間が相当かかるという問題点があった。
【０００４】
本発明は上記の従来技術の問題点を解決するためのもので、その目的は、より容易に製品が包装ボックスで包装されるようにすることができる包装ボックス製函機を提供することにある。
【課題を解決するための手段】
【０００５】
上記の問題点を解決するための本発明に係る包装ボックス製函機は、複数の包装ボックスが折り畳まれた状態で積載されて供給される包装ボックス供給装置と、前記包装ボックス供給装置に積載された包装ボックスのうち、最上側に積載された包装ボックスを開函する製函装置と、を備えることを特徴とする。
【０００６】
また、前記製函装置は、前記包装ボックス供給装置に積載された包装ボックスのうち、最上側に積載された包装ボックスの下面を支持するように左右方向に回転可能に設置される支持プレートと、真空圧が伝達されて包装ボックスの一面を吸着する吸盤が一面に配置され、前記支持プレートに対して垂直及び水平に配置されるように回転自在に設置される吸着プレートと、を備えることを特徴とする。
【０００７】
また、前記包装ボックス製函機は、前記製函装置を移動させ、前記製函装置によって開函された包装ボックスを前記製函装置と一緒に前記包装ボックス供給装置から引き出す引出し装置を備えることを特徴とする。
【０００８】
また、前記引出し装置は、その一端を中心に他端が上下に回転可能に設置され、他端に前記製函装置が回転可能に設置された引出しアームを備えることを特徴とする。
【０００９】
また、前記引出し装置は、上下方向に長く立設され、上端に前記引出しアームが回転自在に設置される支持台をさらに備えることを特徴とする。
【００１０】
また、前記引出し装置は、前記引出しアームに対しては直角方向に、地面に対しては水平に前記引出しアームから延在され、前記棚に積載された包装ボックスのうち、最上側に積載された包装ボックスの一端を支持する支持バーをさらに備えることを特徴とする。
【００１１】
また、本発明に係る包装ボックス製函機は、複数の包装ボックスが折り畳まれた状態で積載されて供給される包装ボックス供給装置と、前記包装ボックス供給装置に積載された包装ボックスのうち、最上側に積載された包装ボックスを開函する製函装置と、前記製函装置を移動させ、該製函装置によって開函された包装ボックスを前記製函装置と一緒に前記包装ボックス供給装置から引き出す引出し装置と、を備えることを特徴とする。
【発明の効果】
【００１２】
本発明に係る包装ボックス製函機によれば、包装ボックスが折り畳まれた状態ではなく開函された状態で製品を包装する作業者に伝達されるので、製品を包装する作業がより簡易になり、その結果、短時間で包装作業を完了することが可能になる。
【発明を実施するための最良の形態】
【００１３】
以下、本発明の好適な実施例について、添付の図面を参照しつつ詳細に説明する。
【００１４】
本発明に係る包装ボックス製函機は、図１に示すように、複数の包装ボックスＢが折り畳まれた状態で上下に積載されて供給されるようにする包装ボックス供給装置１０と、包装ボックス供給装置１０より供給された包装ボックスＢを開函してボックス形態にする製函装置２０と、製函装置２０で開函された包装ボックスＢが包装ボックス供給装置１０から引き出されるようにする引出し装置３０と、を備える。
【００１５】
包装ボックス供給装置１０は、複数の包装ボックスＢが折り畳まれた状態で上下に積載される棚１１と、棚１１を上下に移動させる昇降装置１２とを備え、棚１１に積載された包装ボックスＢのうち、最上側に置かれた包装ボックスＢが製函装置２０及び引出し装置３０によって開函されてから引き出された後、この包装ボックスＢの厚さ分だけ棚１１が昇降装置１２によって上側に移動するようにし、最上側に置かれた包装ボックスＢの高さが常に一定に維持されるようにする。
【００１６】
製函装置２０は、左右方向に回転自在に設置され、棚１１に積載された包装ボックスＢのうち、最上側に置かれた包装ボックスＢとその下側の包装ボックスＢとの間に進入して、最上側に置かれた包装ボックスＢの下面を支持する支持プレート２１と、エジェクタ（図示せず）等から真空圧が伝達されて包装ボックスＢの一面を吸着する複数の吸盤２２ａが一面に配置され、支持プレート２１に対して上下方に回転自在に設置され、支持プレート２１と水平に配置されたり支持プレート２１に対して垂直に配置される吸着プレート２２と、を備える。
【００１７】
引出し装置３０は、上下方向に一定の長さで設けられ、製函装置２０が棚１１の最上側に置かれた包装ボックスＢと対応する高さに設置されるように支持する支持台３１と、一端が支持台３１の上端に回転自在に設置され、他端が上下に回転しつつ水平または垂直に配置される引出しアーム３２と、を備え、この引出しアーム３２の他端には製函装置２０が回転自在に設置される。ここで、製函装置２０は、引出しアーム３２が地面に対して水平に配置されている状態を基準に、引出しアーム３２の他端に左右方向に回転自在に設置される。また、引出し装置３０には、最上側の開函された包装ボックスＢの一端を支持し、該包装ボックスＢの引出しが安定して行われるようにする支持バー３３が備えられている。支持バー３３は、引出しアーム３２と直角方向に該引出しアーム３２から延設されるもので、地面に対しては実質的に水平に延在している。
【００１８】
次に、上記のように構成された本発明による包装ボックス製函機の動作について、添付の図面を参照して詳細に説明する。
【００１９】
最初の状態で包装ボックス製函機は、図２に示すように、引出しアーム３２は地面に対して水平に配置されており、製函装置２０は棚１１に積載されている包装ボックスＢの側方に配置されている。このとき、支持プレート２１は地面に対して水平に配置されている状態であり、吸着プレート２２は支持プレート２１と直角をなしている。
【００２０】
この状態で、包装ボックス製函機を動作させると、図３に示すように、製函装置２０は左右方向に回転しつつ支持プレート２１が棚に載せられた包装ボックスＢのうち最上側の包装ボックスＢとその下側の包装ボックスＢとの間に進入し、支持プレート２１によって最上側に積載された包装ボックスＢの下面が支持される。
【００２１】
続いて、吸着プレート２２は、図４に示すように、下方に回転して支持プレート２１と水平な状態になり、この時、吸着プレート２２の一面に設けられた吸盤２２ａにはエジェクタ（図示せず）から真空圧が伝達され、よって、吸盤２２ａが棚１１の最上側に積載された包装ボックスＢの上面一側に吸着される。
【００２２】
吸盤２２ａが包装ボックスＢの上面に吸着された後に、吸着プレート２２は、図５に示すように、再び上方に回転して支持プレート２１と垂直な状態になるが、包装ボックスＢの上面一側は吸盤２２ａに吸着されている状態であるから、包装ボックスＢの上面一側も吸着プレート２２と同様に支持プレート２１に垂直な状態となり、これにより、折り畳まれた状態で棚１１に積載されていた包装ボックスＢが開函される。
【００２３】
続いて、引出しアーム３２は、図６に示すように、上方に回転して地面に対して垂直に配置されるが、棚１１の上側で開函された包装ボックスＢは、下面が支持プレート２１に支持され、側面は吸盤２２ａを介して吸着プレート２２に吸着されている状態であるから、引出しアーム３２と一緒に上方に回転しながら棚１１から引き出される。この時、開函された包装ボックスＢは、一端が支持バー３３によって支持された状態で回転するので、包装ボックスＢの引出しは安定的に行われる。
【００２４】
棚１１の最上側に積載された包装ボックスＢが上記の過程によって開函されてから引き出されると、製函装置２０及び引出し装置３０は、図２に示すように、最初の位置に復帰し、昇降装置１２の動作によって包装ボックスＢの厚さに該当する高さだけ棚１１が上側に移動し、再び棚１１の最上側に積載された包装ボックスＢが製函装置２０によって開函されるような状態となる。
【図面の簡単な説明】
【００２５】
【図１】本発明による包装ボックス製函機を示す斜視図である。
【図２】本発明による包装ボックス製函機の動作状態を示す斜視図である。
【図３】本発明による包装ボックス製函機の動作状態を示す斜視図である。
【図４】本発明による包装ボックス製函機の動作状態を示す斜視図である。
【図５】本発明による包装ボックス製函機の動作状態を示す斜視図である。
【図６】本発明による包装ボックス製函機の動作状態を示す斜視図である。
【符号の説明】
【００２６】
１０        包装ボックス供給装置
１１        棚
１２        昇降装置
２０        製函装置
２１        支持プレート
２２        吸着プレート
２２ａ      吸盤
３０        引出し装置
３１        支持台
３２        引出しアーム
３３        支持バー
Ｂ          包装ボックス
【図１】
2008254815.tif 000003
【図２】
2008254815.tif 000004
【図３】
2008254815.tif 000005
【図４】
2008254815.tif 000006
【図５】
2008254815.tif 000007
【図６】
2008254815.tif 000008